(57)【要約】【課題】留守がちな家庭や来訪を断る家庭に影響を受けること無く、ガス漏れ警報器に記憶した情報を手間をかけずに取得できるガス漏れ警報システムを提供する。【解決手段】ガスメータに接続したガス漏れ警報器がガス漏れを検知した場合、前記ガスメータにガス漏れを送信し、該ガスメータがガス供給路を遮断し、前記ガス漏れ警報器が警報するガス漏れ警報システムであって、前記ガス漏れ警報器に当該機器の識別情報および警報履歴情報を記憶する不揮発性メモリを備え、前記ガスメータが定期的に前記ガス漏れ警報器との通信モードを監視状態から、該監視状態よりも早い通信速度の高速通信モード状態に移行して、前記ガス漏れ警報器の不揮発性メモリに記憶した内容を取得し、二次元コードで表示する。検針者は、携帯端末によりこの二次元コードを読み取って、文字列で表示させる。【選択図】図１
2010113457.tif 000002
【特許請求の範囲】
【請求項１】
ガスメータに接続したガス漏れ警報器がガス漏れを検知した場合、前記ガスメータにガス漏れを送信し、該ガスメータがガス供給路を遮断し、前記ガス漏れ警報器が警報するガス漏れ警報システムであって、
前記ガス漏れ警報器に当該機器の識別情報および警報履歴情報を記憶する不揮発性メモリを備え、前記ガスメータが定期的に前記ガス漏れ警報器との通信モードを監視状態から、該監視状態よりも早い通信速度の高速通信モード状態に移行して、前記ガス漏れ警報器の不揮発性メモリに記憶した内容を取得し、表示することを特徴とするガス漏れ警報システム。
【請求項２】
請求項１に記載のガス漏れ警報システムにおいて、前記ガスメータにスイッチを備え、前記ガスメータが前記スイッチの押されたことを検知して、前記ガス漏れ警報器との通信モードを監視状態から前記高速通信モード状態に移行して、前記ガス漏れ警報器の不揮発性メモリに記憶した内容を取得し、表示することを特徴とするガス漏れ警報システム。
【請求項３】
請求項１または２に記載のガス漏れ警報システムにおいて、前記ガスメータは、前記ガス漏れ警報器の不揮発性メモリの内容を二次元コードに変換して表示することを特徴とするガス漏れ警報システム。
【請求項４】
請求項３に記載のガス漏れ警報システムにおいて、前記ガスメータに表示された二次元コードを読み取って、文字列に変換して表示する携帯端末を備えることを特徴とするガス漏れ警報システム。
【発明の詳細な説明】
【技術分野】
【０００１】
本発明は、ガスメータとガス漏れ警報器間で相互に信号を送受信するガス漏れ警報システムに関する。
【背景技術】
【０００２】
現在、ガス漏れを検知して警報を発するガス漏れ警報器が広く使用されている。このガス漏れ警報器は、ガス器具の近傍の室内壁等に据え付けられ、ガス器具あるいはガス配管の接続部からガスが漏洩した場合、ガス漏れ警報器本体の内部に設けたガスセンサが漏れたガスを検知し、ガス漏れ警報器が作動して警報を発生することにより、ガスが漏れていることを知らせるようになっている。
【０００３】
従来、一般家庭用のガス漏れ警報器の信頼性保証期間は、ＬＰガス用で４年、都市ガス用で５年と定められているが、比較的長期に渡るので、特に注意しない限り正確に管理することは難しい。
このため、特許文献１では、ガス漏れ警報器自体に信頼性保証期間計時機能を持たせ、その信頼性保証期間が過ぎたことをランプやブザー等で使用者に知らせたり、それと連動するガスメータにその旨を表示したり、さらに外部へ通報できるようにしている。
【０００４】
一方、ガスメータとガス漏れ警報器の交換期限は異なっており、また、設置時期も異なっているため、ガスメータの交換期限が、ガス漏れ警報器の交換期限より早く到達する場合がある。また、ガスメータ側からでは、どのようなガス漏れ警報器が使われているのか認識ができないため、ガスの使用者宅内に入らないとガス漏れ警報器の識別が困難である。
【０００５】
しかし、留守がちな家庭や来訪を断る家庭にあっては使用者宅内に入れないので、設置されたガス漏れ警報器の識別（交換期限、警報器の型式、鳴動情報等）を確認することができず、既に設置されているガス漏れ警報器との連動マッチングが確認できずにガスメータが取り付けられることがあった。また、宅内での警報鳴動履歴をガスメータ側で確認することもできなかった。
【特許文献１】特開平０５−２７４５７１号公報
【発明の開示】
【発明が解決しようとする課題】
【０００６】
本発明は、上述のような実情を考慮してなされたものであって、留守がちな家庭や来訪を断る家庭に影響を受けること無く、ガス漏れ警報器に記憶した情報を手間をかけずに取得できるガス漏れ警報システムを提供することを目的とする。
【課題を解決するための手段】
【０００７】
上記の課題を解決するために、本発明のガス漏れ警報システムは、ガスメータに接続したガス漏れ警報器がガス漏れを検知した場合、前記ガスメータにガス漏れを送信し、該ガスメータがガス供給路を遮断し、前記ガス漏れ警報器が警報するガス漏れ警報システムであって、前記ガス漏れ警報器に当該機器の識別情報および警報履歴情報を記憶する不揮発性メモリを備え、前記ガスメータが定期的に前記ガス漏れ警報器との通信モードを監視状態から、該監視状態よりも早い通信速度の高速通信モード状態に移行して、前記ガス漏れ警報器の不揮発性メモリに記憶した内容を取得し、表示する。
【０００８】
上記のガス漏れ警報システムにおいて、前記ガスメータは、前記ガス漏れ警報器の不揮発性メモリの内容を二次元コードに変換して表示し、携帯端末にてこの二次元コードを読み取って、文字列に変換して表示するものとしてもよい。
【０００９】
さらに、上記のガス漏れ警報システムにおいて、前記ガスメータにスイッチを備え、前記ガスメータが前記スイッチの押されたことを検知して、前記ガス漏れ警報器との通信モードを監視状態から前記高速通信モード状態に移行して、前記ガス漏れ警報器の不揮発性メモリに記憶した内容を取得し、表示するものとしてもよい。
【発明の効果】
【００１０】
本発明によれば、留守がちな家庭や来訪を断る家庭に影響を受けること無く、ガス漏れ警報器の識別情報や警報履歴情報の取得ができ、携帯端末（携帯電話）の二次元コード読み取り機能により、手間をかけずにガス漏れ警報器の識別情報や警報履歴情報を容易に把握することができる。これにより、ガス漏れ警報器の最新の状態を把握することができ、ガスメータの設置時に有効に利用できる。
【発明を実施するための最良の形態】
【００１１】
以下、図面を参照して本発明のガス漏れ警報システムに係る好適な実施形態を説明する。
図１は、本発明の実施形態に係るガス漏れ警報システムの概略構成を示すブロック図である。同図において、ガス漏れ警報システムは、ガス漏れ警報器１０、マイコン式ガスメータ（以下、ガスメータと略記する）２０、携帯端末２７で構成されている。
ガス漏れ警報器１０とガスメータ２０とは、それぞれ２本の信号線３１で接続され、それぞれ２本の信号線３１を通じて、ガス漏れ警報器１０とガスメータ２０間で信号が送受信できるようになっている。
【００１２】
ガス漏れ警報器１０は、ガス漏れを検知するガスセンサ部１１、ガス漏れ警報器１０の通電や警報をＬＥＤ等によって明示する表示部１２、音声やブザーにより警報を報知する警報部１３、ガスメータ２０と連動するためにフォトカプラで構成され、安全面から絶縁を確保した入出力部１４、ガス漏れ警報器１０の各部に電源を供給する電源部(電池や、商用電源から直流電源に変換する回路)１５、および、ガス漏れ警報器１０の各部からの信号をコントロールするＣＰＵ（中央処理装置）と不揮発性メモリ（ＣＰＵに不揮発性メモリを内蔵したフラッシュマイコンでもよい）よりなる制御部１６を含んで構成されている。
【００１３】
この不揮発性メモリには、ガス漏れ警報器１０の仕様情報（例えば、製造年月、製造番号、型式、外部出力、製造メーカ名等）が出荷時に記録されている。
また、制御部１６は、使用が開始されると、ガス漏れ警報器１０の使用状態や、警報が出力されるごとに、警報出力日時と警報の種類、警報濃度レベル等からなる警報履歴情報を不揮発性メモリに記録する。
【００１４】
ガスメータ２０は、ガスの消費量を計測するとともに、制御部２３からの定期的な要求に基づいて、読取部２２を介し、ガス漏れ警報器１０の仕様や使用状態や警報履歴情報を要求し、ガス漏れ警報器１０の入出力部１４を介して、ガス漏れ警報器１０の不揮発メモリ情報を得る。
【００１５】
ガスメータ２０は、読取部２２で得た不揮発メモリ情報を二次元コード変換部２５で、二次元コードに変換し、表示画面に表示する。この二次元コード変換部２５は、公知の技術によって実現可能である。
【００１６】
携帯端末２７は、ガスメータ２０の表示部２６に表示されている二次元コードを読み取って、画像認識して文字列へ変換して表示する機能を有するものであり、本実施形態では、設置交換サービス業者の担当者が所持する同機能を備えた携帯電話を想定している。
【００１７】
次に、ガス漏れ警報器１０とガスメータ２０間におけるガス漏れ監視のための通信処理について説明する。
図２は、ガス漏れ警報システムにおける各種信号の伝達形態を説明するタイミングチャートである。ここで、ガス漏れ警報器１０からガスメータ２０に信号を送出する場合には、ガス漏れ警報器１０の駆動により、入出力部１４のフォトカプラＰＣ１のＯＮ‐ＯＦＦで動作させ、また、ガスメータ２０からの信号を受け取る場合には、ガスメータ２０からの駆動により入出力部１４のフォトカプラＰＣ２がＯＮ‐ＯＦＦする。
【００１８】
ガス漏れ警報器１０は、ガスセンサ部１１がガス漏れを検知して、制御部１６が入出力部１４により所定時間後に弁遮断信号を送出すると、ガスメータ２０は、その信号の信号波形から弁遮断信号と認識して遮断弁２１を閉じ、ガス漏れ警報器１０に対して弁遮断アンサ信号を送出する（図２（Ａ））。この弁遮断アンサ信号は、ＯＮ‐ＯＦＦパルス列幅Ｔａが約０.４秒である。
【００１９】
ガス漏れ警報器１０は、制御部１６が入出力部１４により受け取った信号の信号波形から弁遮断アンサ信号と認識すると、遮断弁が閉じたことを表す音声やブザー音を警報部１３により発生させ、ガスの使用者へ知らせる。
【００２０】
ガスメータ２０は、ガスが長時間使用し続けられた場合に、安全上遮断弁を閉止させるため８分前になると弁遮断予告アンサ信号をガス漏れ警報器１０に対して送出を開始する（図２（Ｂ））。この弁遮断予告アンサ信号は、ＯＮ-ＯＦＦパルス幅Ｔｂが約０.１秒である。
【００２１】
ガス漏れ警報器１０は、制御部１６が入出力部１４により受け取った信号の信号波形から弁遮断予告アンサ信号と認識すると、遮断弁の遮断予告を表す音声やブザー音を警報部１３により発生させ、ガスの使用者へ知らせる。
【００２２】
ガスメータ２０は、ガスメータ２０の遮断弁２１復帰後、ガスが流れていないかを確認する監視時間中に、ガス漏れ警報器１０に対して弁復帰安全確認アンサ信号の送出を開始する（図２（Ｂ））。この弁復帰安全確認アンサ信号は、ＯＮ-ＯＦＦパルス列幅Ｔｃ（約０.５秒）間に３つのパルス信号を発生させる。
【００２３】
ガス漏れ警報器１０は、制御部１６が入出力部１４により受け取った信号の信号波形から弁復帰安全確認アンサ信号と認識すると、弁復帰安全確認を表す音声やブザー音を警報部１３により発生させ、ガスの使用者へ知らせる。
【００２４】
ガスメータ２０は、弁復帰安全確認後、ガスが使用可能となったときに使用許可アンサ信号をガス漏れ警報器１０に対して送出する（図２（Ｂ））。この使用許可アンサ信号は、ＯＮ-ＯＦＦパルス幅Ｔｄが約０.５秒である。
【００２５】
ガス漏れ警報器１０は、制御部１６が入出力部１４により受け取った信号の信号波形から使用許可アンサ信号と認識すると、ガスの使用許可を表す音声やブザー音を警報部１３により発生させ、ガスの使用者へ知らせる。
【００２６】
ガスメータ２０は、ガス漏れ警報器１０に電源が通電されているか確認するために電源アンサ要求信号をガス漏れ警報器１０に対して送出する（図２（Ｃ））。この電源アンサ要求信号は、ＯＮ-ＯＦＦパルス幅Ｔｗが約１５ミリ秒である。
【００２７】
ガス漏れ警報器１０は、制御部１６が入出力部１４により受け取った信号の信号波形から電源アンサ要求信号と認識すると、受信から時間Ｔｘ（約０.８秒）以内にパルス幅Ｔｙ（約０．６秒）の電源アンサ応答信号を入出力部１４により送出する。
【００２８】
次に、ガスメータ２０の読取部２２について説明する。
この読取部２２は、２本の信号線３１に接続され、制御部２３からの定期的(例えば、約１０分間隔)な指示に基づいて、ガス漏れ警報器１０の制御部１６の不揮発性メモリに記憶された内容を読み出す。
【００２９】
図３は、ガス漏れ警報器１０の不揮発性メモリの内容の確認要求をしたときのタイミングチャートである。この図３の例では、取得する内容を製造年月および製造番号として説明するが、これに限定されるものではなく、他の仕様項目や使用状態や警報履歴情報等であってもよい。
【００３０】
また、不揮発性メモリに記憶された内容を送受信するときには、監視状態から高速通信モード状態に移行して、監視状態に発生するアンサ信号（図２）よりも早いＯＮ-ＯＦＦパルス幅列で予め設定した信号波形条件により生成するパルス列により送受信する。そして、送受信が終わると、高速通信モード状態から監視状態に移行する。
【００３１】
設置交換サービス業者の担当者は、ガスメータ２０の表示部２６に定期的に更新され常時表示されている識別情報や警報履歴情報等の二次元コード表示を携帯端末２７（図１）で撮像して、携帯端末２７に備わった二次元コード読み取り機能により文字列へ変換し、携帯端末２７の液晶画面に表示させて、ガス漏れ警報器１０の不揮発性メモリの内容を確認する。
【００３２】
上記の構成により、ガスメータ２０が屋外設置されている場合、留守がちな家庭や来訪を断る家庭に影響を受けること無く、ガス漏れ警報器１０の識別情報や警報履歴情報等を手間をかけずに容易に把握することができる。
また、ガスメータのカバーなどに触れないため、手指が汚れることもない。
【００３３】
上記の変形例として、図４に例示したように、ガスメータ２０にガス漏れ警報器の詳細情報取得スイッチ２８を設け、このスイッチ２８が押されたときに、ガス漏れ警報器１０の詳細情報を取得して二次元コードに変換して表示するようにしてもよい。スイッチ２８としては、ガスメータ２０の筐体外郭から操作できるもので、磁気感応素子やメカ的なタクトスイッチ等の操作手段が有効である。
【００３４】
この変形例では、次のように操作してガス漏れ警報器１０の最新の詳細情報を得ることができる。
設置交換サービス業者の担当者がスイッチ２８を押したことを検知すると、ガスメータ２０の制御部２３が読取部２２を介してガス漏れ警報器１０と上記した通信を行い、最新のガス漏れ警報器１０の詳細情報（識別情報や警報履歴情報等）を得て、その詳細情報を二次元コード変換部２５で、二次元コードに変換し、表示部２６に表示させる。
【００３５】
設置交換サービス業者の担当者は、ガスメータ２０の表示部２６に表示された詳細情報を携帯端末２７の二次元コード読み取り機能により読み取って変換した文字列を携帯端末２７の液晶画面で確認する。
【００３６】
さらに、ガスメータがガス漏れ警報器の詳細情報の定期的な取得とこの取得したガス漏れ警報器の詳細情報の二次元コード表示を行うとともに、上記のガス漏れ警報器の詳細情報取得スイッチを設けて、随時最新の詳細情報を取得できるようにしてもよい。
【００３７】
尚、本発明は上述した実施形態に限定されず、本発明の要旨を逸脱しない範囲内で各種の変形、修正が可能であるのは勿論である。
【図面の簡単な説明】
【００３８】
【図１】本発明の実施形態に係るガス漏れ警報システムの概略構成を示すブロック図である。
【図２】ガス漏れ警報システムにおける各種信号の伝達形態を説明するタイミングチャートである。
【図３】ガス漏れ警報器の不揮発性メモリの内容の確認要求をしたときのタイミングチャートである。
【図４】本発明の実施形態に係るガス漏れ警報システムの他の概略構成を示すブロック図である。
【符号の説明】
【００３９】
１０…ガス漏れ警報器、１１…ガスセンサ部、１２…表示部、１３…警報部、１４…入出力部、１５…電源部、１６…制御部、２０…マイコン式ガスメータ（ガスメータ）、２１…遮断弁、２２…読取部、２３…制御部、２５…二次元コード変換部、２６…表示部、２７…携帯端末（携帯電話）、２８…ガス漏れ警報器の詳細情報取得スイッチ、３１，３２…信号線、ＰＣ１，ＰＣ２…フォトカプラ。
【図１】
2010113457.tif 000003
【図２】
2010113457.tif 000004
【図３】
2010113457.tif 000005
【図４】
2010113457.tif 000006